(57)【要約】【課題】構造物内において、バッテリの消耗を抑制して、長時間にわたってオゾンを供給することができるオゾン発生システムを提供すること。【解決手段】オゾン発生システム１では、バッテリ電圧を検出し、バッテリ電圧が、所定の判定値以下に低下した場合には、オゾン制御部２７やファン制御部２５によって、オゾン発生器１１に供給する電力やファン１５に供給する電力を抑制することにより、バッテリ１９の電力の消耗を抑制することができる。また、バッテリ１９の電力の消耗を抑制できるので、長期間にわたり、殺菌等に必要な量のオゾンを供給することができる。つまり、バッテリ１９の消耗を抑制して、野菜や肉等の収容物を収容するコンテナ等の内部のオゾン濃度を、長期間にわたり、適切なオゾン濃度に保つことができる。【選択図】図４
2019099387.tif 000002
【特許請求の範囲】
【請求項１】
周囲の空間との通気が規制された内部の空間を有する構造物内に、
オゾンを発生させるとともに、該オゾンを自身の装置内から該装置外に供給するオゾン発生装置を備えた、オゾン発生システムであって、
前記オゾン発生装置は、
バッテリの電力によって駆動され、前記オゾンを発生させるオゾン発生器と、
前記オゾン発生器に供給する前記電力の制御を行うオゾン制御部と、
前記バッテリの電力によって駆動され、前記オゾン発生器で発生した前記オゾンを前記装置内から前記装置外に排出するファンと、
前記ファンの駆動状態を制御するファン制御部と、
前記バッテリの電圧を検出するバッテリ電圧検出部と、
前記バッテリの電圧が、所定の判定値以下に低下したか否かを判定する電圧判定部と、
前記バッテリの電圧が、前記判定値以下に低下した場合には、前記オゾン制御部及び／又は前記ファン制御部によって、前記オゾン発生器に供給する電力及び／又は前記ファンに供給する電力を抑制する電力抑制制御を行う抑制制御部と、
を備えたオゾン発生システム。
【請求項２】
前記抑制制御部は、前記オゾン発生器に供給する電力を所定の最低値に設定する、
請求項１に記載のオゾン発生システム。
【請求項３】
前記抑制制御部は、前記ファンに供給する電力を所定の最低値に設定する、
請求項１又は２に記載のオゾン発生システム。
【請求項４】
前記判定値を複数設け、
各判定値で区分される領域に応じて、前記オゾン発生器に供給する電力の上限値を設定する、
請求項１〜３のいずれか１項に記載のオゾン発生システム。
【請求項５】
前記判定値を複数設け、
各判定値で区分される領域に応じて、前記ファンに供給する電力の上限値を設定する、
請求項１〜４のいずれか１項に記載のオゾン発生システム。
【請求項６】
前記装置内の内部空間又は前記装置外の外部空間のオゾン濃度が目標オゾン濃度となるように、前記オゾン発生器に供給する電力のフィードバック制御を行う、
請求項１〜５のいずれか１項に記載のオゾン発生システム。
【発明の詳細な説明】
【技術分野】
【０００１】
本開示は、例えばコンテナや貯蔵庫の内部などでオゾンを発生させることができるオゾン発生システムに関する。
【背景技術】
【０００２】
従来、オゾンは、酸化殺菌剤として利用されており、例えば食品分野や半導体製造分野などにおいても、広く利用されている。
このオゾンを発生する装置としては、例えば、無声放電又は沿面放電によって高濃度のオゾンを発生する装置が知られている。具体的には、高圧電極と接地電極とによって放電セルを構成し、両電極間に酸素ガスを供給して高電圧を印加することによって、高濃度のオゾンを発生させるオゾン発生装置が知られている（特許文献１参照）。
【先行技術文献】
【特許文献】
【０００３】
【特許文献１】特許第５１９３０８６号公報参照
【発明の概要】
【発明が解決しようとする課題】
【０００４】
ところで、例えば輸送用のコンテナ内にオゾン発生装置を配置した場合には、コンテナ内のオゾン発生装置には、外部から商用電源によって電力を供給できない。そのため、オゾン発生装置の電源は、コンテナ内に配置されたバッテリになる。
【０００５】
ところが、例えば日本から東南アジアにコンテナを船舶輸送するような場合には、２〜３週間程度かかるので、バッテリによって常に最大電力でオゾンを発生させると、輸送途中でバッテリの電力がなくなってしまう。
【０００６】
一方、バッテリによって常に最小電力でオゾンを発生させると、バッテリの電力は持つかもしれないが、オゾンによるカビ菌殺菌効果が十分に発揮できないという問題がある。
本開示は、かかる背景に鑑みてなされたものであり、その目的は、構造物内において、バッテリの消耗を抑制して、長時間にわたって好適にオゾンを供給できるオゾン発生システムを提供することである。
【課題を解決するための手段】
【０００７】
（１）本開示の第１局面は、周囲の空間との通気が規制された内部の空間を有する構造物内に、オゾンを発生させるとともに、オゾンを自身の装置内から装置外に供給するオゾン発生装置を備えた、オゾン発生システムに関するものである。
【０００８】
このオゾン発生装置は、バッテリの電力によって駆動され、オゾンを発生させるオゾン発生器と、オゾン発生器に供給する電力の制御を行うオゾン制御部と、バッテリの電力によって駆動され、オゾン発生器で発生したオゾンを装置内から装置外に排出するファンと、ファンの駆動状態を制御するファン制御部と、を備えている。
【０００９】
また、バッテリの電圧を検出するバッテリ電圧検出部と、バッテリの電圧が、所定の判定値以下に低下したか否かを判定する電圧判定部と、バッテリの電圧が、判定値以下に低下した場合には、オゾン制御部及び／又はファン制御部によって、オゾン発生器に供給する電力及び／又はファンに供給する電力を抑制する電力抑制制御を行う抑制制御部と、を備えている。
【００１０】
本第１局面では、バッテリの電圧を検出し、バッテリの電圧が所定の判定値以下に低下した場合には、オゾン制御部やファン制御部によって、オゾン発生器に供給する電力やファンに供給する電力を抑制することにより、バッテリの電力の消耗を抑制することができる。また、バッテリの電力の消耗を抑制できるので、最大電力でバッテリを使用した場合に比べて、長期間にわたって殺菌等に必要なオゾンを好適に供給することができる。
【００１１】
つまり、本第１局面によれば、バッテリの消耗を抑制して、野菜や肉等の収容物を収容するコンテナ等の内部のオゾン濃度を、長期間にわたり、適切なオゾン濃度に保つことができる。例えば、最大電力でバッテリを使用した場合には、コンテナ等の搬送途中でバッテリの電力が不足して、オゾンを発生できないことがあるが、本第１局面によれば、そのようなバッテリ上がりの状態になることを抑制して、オゾンを期間にわたって発生することができる。
【００１２】
これにより、コンテナ等の内部のオゾン濃度を、長期間にわたり、可能な範囲で適切なオゾン濃度に保つことができるので、カビ菌等の殺菌力を長期間にわたり好適に保持することができる。そのため、野菜や肉等の収容物の腐敗等を好適に抑制することができる。
【００１３】
（２）本開示の第２局面では、抑制制御部により、オゾン発生器に供給する電力を所定の最低値に設定してもよい。
本第２局面では、オゾン発生器に供給する電力を所定の最低値に設定することにより、バッテリの電力の消耗を好適に抑制できる。なお、この電力の最低値とは、オゾンの発生が可能な範囲の最低値である。
【００１４】
（３）本開示の第３局面では、抑制制御部により、ファンに供給する電力を所定の最低値に設定してもよい。
本第３局面では、ファンに供給する電力を所定の最低値に設定することにより、バッテリの電力の消耗を好適に抑制できる。なお、この電力の最低値とは、ファンによる送風が可能な範囲の最低値である。
【００１５】
（４）本開示の第４局面では、判定値を複数設け、各判定値で区分される領域に応じて、オゾン発生器に供給する電力の上限値を設定してもよい。
本第４局面では、バッテリの電圧を判定するために、複数の判定値を備えている。そして、各判定値で区分される電圧の領域に応じて、オゾン発生器に供給する電力の上限値を設定する。これにより、オゾン発生量を好適に保ちつつ、バッテリの電力の消耗を好適に抑制できる。
【００１６】
（５）本開示の第５局面では、判定値を複数設け、各判定値で区分される領域に応じて、ファンに供給する電力の上限値を設定してもよい。
本第５局面では、バッテリの電圧を判定するために、複数の判定値を備えている。そして、各判定値で区分される電圧の領域に応じて、ファンに供給する電力の上限値を設定する。これにより、ファンによる送風量（即ちファン風量）を好適に保ちつつ、バッテリの電力の消耗を好適に抑制できる。
【００１７】
（６）本開示の第６局面では、装置内の内部空間又は装置外の外部空間のオゾン濃度が目標オゾン濃度となるように、オゾン発生器に供給する電力のフィードバック制御を行ってもよい。
【００１８】
このようなフィードバック制御を行うことにより、内部空間又は外部空間のオゾン濃度を、好適に目標オゾン濃度となるように制御することができる。また、このようにフィードバック制御を行うことにより、バッテリの消耗も抑制できる。
【００１９】
なお、上述のように使用できる電力が制限されている場合、例えば最小値が設定されている場合や上限値が設定されている場合には、その使用できる電力の範囲で、フィードバック制御を行うことができる。
【図面の簡単な説明】
【００２０】
【図１】第１実施形態のオゾン発生システムの全体構成を示すブロック図である。
【図２】第１実施形態のオゾン発生システムの制御部の構成を機能的に示すブロック図である。
【図３】第１実施形態のオゾン発生システムのメインの制御処理の概要を示すフローチャートである。
【図４】第１実施形態のオゾン発生システムのメインの制御処理の詳細を示すフローチャートである。
【図５】第２実施形態の制御処理を示すフローチャートである。
【図６】実験例１を示し、（ａ）は「制御なし」の場合の電力とオゾン濃度の変化を示すグラフ、（ｂ）は「制御あり」の場合の電力とオゾン濃度の変化を示すグラフ、（ｃ）は電池残量の径時変化を示すグラフである。
【図７】実験例２を示し、（ａ）は「制御なし」の場合の電力とオゾン濃度の変化を示すグラフ、（ｂ）は「制御あり」の場合の電力とオゾン濃度の変化を示すグラフ、（ｃ）は電池残量の径時変化を示すグラフである。
【発明を実施するための形態】
【００２１】
以下、本開示が適用されたオゾン発生システムの実施形態について、図面を用いて説明する。
［１．第１実施形態］
［１−１．オゾン発生システムの全体構成］
図１に示すように、第１実施形態のオゾン発生システム１は、周囲の空間（外界）Ｋ１との通気が規制された内部の空間（Ｋ２）を有する構造物（例えばコンテナ）３内に、オゾンを発生させるとともに、オゾンを自身の装置５内から装置５外に供給するオゾン発生装置５を備えている。
【００２２】
また、オゾン発生装置５の内部には、オゾン発生装置５内の空間である内部空間Ｋ３のオゾン濃度（即ち内部オゾン濃度）を検出する内部オゾンセンサ７を備えている。また、オゾン発生装置５の外部には、オゾン発生装置５外の空間（但し構造物３内の空間）である外部空間Ｋ４のオゾン濃度（即ち外部オゾン濃度）を検出する複数の外部オゾンセンサ９ａ、９ｂ（９と総称する）を備えている。なお、図１では、２個の外部オゾンセンサ９を例示しているが、外部オゾンセンサ９は、１個であっても、３個以上であってもよい。
【００２３】
さらに、オゾン発生装置５は、オゾンを発生させるオゾン発生器１１と、オゾン発生器１１にオゾンを発生させるための電力を供給する高圧電源１３と、オゾン発生器１１にて発生したオゾンを、装置５内から装置５外に排出する（即ち搬送する）ファン１５と、オゾン発生装置５の動作の制御等を行う制御部１７とを備えている。
【００２４】
また、構造物３内には、オゾン発生装置５に電力を供給するバッテリ１９が配置されている。
さらに、構造物３の外には、表示部２１を備えた外部コントローラ２３が配置されている。この外部コントローラ２３は、無線通信にて、オゾン発生装置５（詳しくは制御部１７）との情報の送受信や、オゾン発生装置５の動作を指示することが可能である。なお、外部コントローラ２３とオゾン発生装置５とを有線にて接続してもよい。
【００２５】
［１−２．オゾン発生システムの各構成］
次に、オゾン発生システム１の各構成について、更に詳しく説明する。
オゾン発生器１１は、高圧電源１３からの電力の供給を受けてオゾンを発生する周知のオゾン発生器１１である。このオゾン発生器１１としては、例えば、国際公開第２０１７／０９８９８７号に記載のオゾン発生器１１を採用できる。
【００２６】
このオゾン発生器１１は、図示しないが、放電電極を有する複数の電極パネルを積層した構造を有し、隣接する電極パネル間に電圧を印加することによってプラズマを発生させるプラズマパネル積層体と、複数の電極パネルを積層方向に挟み込んで固定するクランプと、を備えるプラズマリアクタである。このオゾン発生器１１では、電極パネル間に例えばパルス電圧を印加することにより、誘電体バリア放電が発生し、放電電極間に誘電体バリア放電によるプラズマが発生する。よって、このプラズマによって、空気中の酸素からオゾンが発生する。
【００２７】
高圧電源１３は、オゾン発生器１１にてオゾンを発生させるために、例えばピーク電圧が５ｋＶ（パルス繰り返し周波数：１００Ｈｚ）の前記パルス電圧を印加する電源である。なお、高圧電源１３に対しては、電源１９から制御部１７を介して、オゾンの発生に必要な電力が供給される。
【００２８】
従って、高圧電源１３からオゾン発生器１１に供給するパルス電圧を調節することにより、オゾン発生器１１に供給する電力を制御できるので、オゾン発生器１１にて発生するオゾン発生量（例えば単位時間当たりの発生量）を調節することができる。
【００２９】
ファン１５は、制御部１７から電力を供給されるとともに、制御部１７からの制御信号によって、その動作が制御される。つまり、ファン１５による送風量（従ってオゾン搬送量）の調節が行われる。
【００３０】
具体的には、ファン１５に供給する電力が増加すると、ファン１５の回転数が増加して、送風量（即ちファン風量）が増加する。例えば、ファン１５を駆動するモータにパルス電圧を印加する場合には、そのパルス電圧を調節することにより、ファン１５の回転数（従ってファン風量）を制御することができる。
【００３１】
制御部１７は、周知のマイクロコンピュータ等を備えた電子制御装置であり、図２に示すように、機能的に、ファン制御部２５とオゾン制御部２７と異常検出部２９とバッテリ電圧検出部３１と電圧判定部３３と抑制制御部３５とを有する。
【００３２】
このうち、オゾン制御部２７は、内部オゾンセンサ７や外部オゾンセンサ９からの信号に基づいて、内部空間Ｋ３のオゾン濃度が目標とする内部オゾン濃度（即ち目標内部オゾン濃度）となるように、或いは、外部空間Ｋ４のオゾン濃度が目標とする外部オゾン濃度（即ち目標外部オゾン濃度）となるように、高圧電源１３の動作を制御する機能を有する。
【００３３】
つまり、目標内部オゾン濃度又は目標外部オゾン濃度となるように、高圧電源１３からオゾン発生器１１に供給する電力を制御する機能、いわゆるフィードバック（ＦＢ）制御を行う機能を有する。
【００３４】
ファン制御部２５は、外部オゾンセンサ９からの信号に基づいて、外部空間Ｋ４のオゾン濃度が目標とする外部オゾン濃度（即ち目標外部オゾン濃度）となるように、ファン１５に供給する電力を制御する機能、いわゆるフィードバック制御を行う機能を有する。
【００３５】
異常検出部２９は、オゾン発生器１１の電圧及び／又は電流の異常を検出する。詳しくは、周知の電圧検知回路や電流検知回路（図示せず）により、オゾン発生器１１自体に流れる電気の電圧及び／又は電流を検出して、その異常を検出する。また、高圧電源１３からオゾン発生器１１に供給される電気の電圧及び／又は電流を検出して、その異常を検出する。
【００３６】
さらに、異常検出部２９は、内部オゾンセンサ７及び／又は外部オゾンセンサ９からのオゾン濃度を示す信号を検出して、内部オゾン濃度及び／又は外部オゾン濃度の異常を検出する。
【００３７】
バッテリ電圧検出部３１は、周知のバッテリ１９の電圧を検知する電圧検知回路（図示せず）からの信号に基づいて、バッテリ１９の電圧を検出する機能を有する。
電圧判定部３３は、バッテリ１９の電圧が、所定の判定値（例えば２４Ｖ）以下に低下したか否かを判定する機能を有する。
【００３８】
抑制制御部３５は、バッテリ１９の電圧が、前記判定値以下に低下した場合には、オゾン制御部２７及び／又はファン制御部２５によって、オゾン発生器１１に供給する電力及び／又はファン１５に供給する電力を抑制する電力抑制制御を行う機能を有する。
【００３９】
また、制御部１７は、前記抑制制御部３５等により、下記のような各種の制御を行うことができる。
（１）例えば、バッテリ１９の電圧が所定の判定値以下となった場合には、オゾン発生器１１に供給する電力を所定の最低値に設定する制御を行うことができる。
【００４０】
（２）例えば、バッテリ１９の電圧が所定の判定値以下となった場合には、ファン１５に供給する電力を所定の最低値に設定することができる。
（３）前記判定値を複数設け、各判定値で区分される領域に応じて、オゾン発生器１１に供給する電力の上限値を設定することができる。
【００４１】
（４）前記判定値を複数設け、各判定値で区分される領域に応じて、ファン１５に供給する電力の上限値を設定することができる。
また、外部オゾンセンサ９は、バッテリ１９や、外部オゾンセンサ９自身の回路に配置されたセンサ用バッテリ（図示せず）からの電力を受けて駆動される。この外部オゾンセンサ９は、無線通信又は有線にて、制御部１７に対して外部オゾン濃度に関する情報を送信することが可能である。また、外部オゾンセンサ９は。無線通信により構造物３の外部（例えば外部コントローラ２３）と通信可能である。
【００４２】
外部コントローラ２３は、周知のマイクロコンピュータを備えた電子制御装置であり、構造物３の外部から、有線又は無線にて、オゾン発生器１１におけるオゾンの発生及び停止を指示することができる装置である。
【００４３】
この外部コントローラ２３の表示部２１は、オゾン発生装置５に関する動作（例えば「オゾン発生中」等）を表示することができる。また、表示部２１では、内部オゾン濃度及び／又は外部オゾン濃度を表示することができる。
【００４４】
［１−３．制御処理の全体の概略構成］
次に、本第１実施形態の制御部１７にて実施される制御処理の全体の概略について、図３のフローチャートに基づいて説明する。なお、図３等のフローチャートでは、ステップをＳと記す。
【００４５】
図３に示すように、ステップ１００にて、オゾン発生システム１の作動を指示する電源スイッチ（ＳＷ）がオン（ＯＮ）され、ステップ１１０にて、オゾンの発生を指示するオゾン発生スイッチ（ＳＷ）がオンされた場合には、下記のステップ１２０以降の処理に進む。  
ステップ１２０では、内部オゾンセンサ７からの信号に基づいて、内部オゾン濃度を検知し、内部オゾン濃度が目標内部オゾン濃度となるように、オゾン発生用の電力の調整を行う。
【００４６】
つまり、このステップ１２０の処理とは、目標内部オゾン濃度にするために、高圧電源１３からオゾン発生器１１に供給する電力（従ってオゾン発生量）を制御する処理である。即ち、内部オゾン濃度のフィードバック制御を行うものである。
【００４７】
そして、目標内部オゾン濃度に達した場合には、下記のステップ１３０以降の処理に進む。
ステップ１３０では、外部オゾンセンサ９からの信号に基づいて、外部オゾン濃度を検知し、外部オゾン濃度が目標外部オゾン濃度となるように、ファン１５に供給する電力の調整を行って、ファン風量を調整する。
【００４８】
つまり、このステップ１３０の処理とは、目標外部オゾン濃度にするために、ファン１５に供給する電力（従ってファン風量に対応するオゾン搬送量）を制御する処理である。即ち、外部オゾン濃度のフィードバック制御を行うものである。
【００４９】
そして、この外部オゾン濃度のフィードバック制御によって、目標外部オゾン濃度に達した場合（即ち濃度調整ＯＫの場合）には、外部オゾン濃度の調整が適切になされたとして、一旦本処理を終了する。つまり、オゾン発生スイッチや電源スイッチがオフされるまでは、上述した外部オゾン濃度を調整する処理を継続する。
【００５０】
一方、一定時間、ファン風量を制御しても、目標外部オゾン濃度に達していないと判定された場合（即ち濃度調整ＮＧの場合）には、外部オゾン濃度の調整が適切になされなかったとして、ステップ１４０に進む。
【００５１】
ステップ１４０では、目標外部オゾン濃度となるように、オゾン発生のモードを切り替えて、オゾン発生量を制御する。
つまり、このステップ１４０の処理とは、目標外部オゾン濃度にするために、オゾン発生量を制御する処理である。即ち、オゾン発生量自体を変更して、外部オゾン濃度のフィードバック制御を行うものである。
【００５２】
［１−４．制御処理の詳細な内容］
次に、前記図３にて示した制御処理（メインの制御処理）の内容を、図４に基づいて詳しく説明する。
【００５３】
図４に示すように、ステップ２００にて、オゾン発生システム１の作動を指示する電源スイッチがオンされ、ステップ２１０にて、オゾンの発生を指示するオゾン発生スイッチがオンされた場合には、下記のステップ２２０以降の処理に進む。
【００５４】
なお、電源スイッチがオンされた場合には、そのことを示すＬＥＤを点灯し、オゾン発生スイッチがオンされた場合には、そのことを示すＬＥＤを点灯する。
ステップ２２０では、タイマ出力をオンし、タイマによる計時を開始する。
【００５５】
続くステップ２３０では、内部オゾン濃度及び外部オゾン濃度の測定を開始するために、内部オゾンセンサ７及び外部オゾンセンサ９の駆動（即ち通電）を開始する。
続くステップ２４０では、オゾン発生器１１にオゾンを発生させるために、オゾン発生器１１に電力の供給を開始する。
【００５６】
続くステップ２５０では、例えばオゾン濃度を設定するスイッチ等からの入力に基づいて、目標外部オゾン濃度を設定する。
続くステップ２６０では、内部オゾンセンサ７及び外部オゾンセンサ９への通電開始から、内部オゾンセンサ７及び外部オゾンセンサ９を活性化させるための時間が経過したか否かを判定する。ここで肯定判断されるとステップ２７０に進み、一方否定判断されると待機する。
【００５７】
ステップ２７０では、オゾン発生量を所定の最小値（但し０を上回る下限値）に設定するとともに、ファン風量を所定の最小値（但し０を上回る下限値）に設定する。
例えば、オゾン発生量を最小値にするために、オゾン発生器１１に供給する電力を所定の供給範囲における最小値（例えば４Ｗ）に設定するとともに、ファン風量を最小値にするために、ファン１５に供給する電力を所定の供給範囲における最小値（例えば１Ｗ）に設定する。
【００５８】
続くステップ２８０では、目標内部オゾン濃度となるように、オゾン発生器１１に対する出力電力（第１出力電圧）を調整する。即ち、オゾン発生量を調整する。なお、この第１出力電圧は、前記ステップ２７０の固定の初期値である最小値とは異なり、通常のオゾン発生装置５の運転における目標内部オゾン濃度に応じた出力電力である。
【００５９】
つまり、第１出力電力とは、目標内部オゾン濃度が、例えば０．０５ｐｐｍに設定されている場合には、その目標内部オゾン濃度を実現するために、オゾン発生器１１に対して出力される電力である。
【００６０】
なお、この目標内部オゾン濃度を実現するための制御は、内部オゾン濃度に基づいて第１出力電圧を調整するフィードバック制御である。
続くステップ２９０では、バッテリ１９の電圧（即ちバッテリ電圧）が、所定電圧（Ｂ１：例えば２４Ｖ）以上であるか否か、即ち十分なバッテリ電圧であるか否かを判定する。ここで肯定判断されるとステップ３３０に進み、一方否定判断されるとステップ３００に進む。
【００６１】
ステップ３００では、バッテリ電圧が低いので、バッテリ電圧と第１出力電圧の上限値との関係を示すマップを参照する。なお、このマップは、例えば制御部１７のメモリ（図示せず）に記憶されている。
【００６２】
このマップ（マップ１）とは、Ｂ１未満のバッテリ電圧の範囲において、バッテリ電圧を複数の領域で区分するように、バッテリ電圧の判定値を複数設けたものである。そして、各判定値で区分される領域に応じて、オゾン発生器１１に供給する電力の上限値が設定されている。従って、このマップを用いることにより、バッテリ電圧に対応した電力の上限値を設定することができる。
【００６３】
続くステップ３１０では、第１出力電圧が前記マップから得られた上限値以下であるか否かを判定する。ここで肯定判断されるとステップ３３０に進む、一方否定判断されるとステップ３２０に進む。
【００６４】
ステップ３２０では、第１出力電圧を上限値に設定して、ステップ３３０に進む。つまり、バッテリ１９の消耗を抑制するために、バッテリ１９の出力電圧の上限を規定する。
ステップ３３０では、オゾン発生量の調整開始から所定時間（Ｔ１時間）経過したか否かを判定する。ここで肯定判断されるとステップ３４０に進み、一方否定判断されると、現状の出力電力を維持して、Ｔ１時間が経過するまで待機する。
【００６５】
ステップ３４０では、内部オゾン濃度が、目標内部オゾン濃度のＡ倍に達したか否かを判定する。ここで肯定判断されるとステップ３５０に進み、一方否定判断されるとステップ２８０に戻る。
【００６６】
なお、前記Ａは１を上回る数値である。ここで、Ａを１を上回る数値に設定したのは、内部オゾン濃度は、一時的また場所によって高い濃度になることがあるので、それを見込んで数値を設定したからである。つまり、平均すると内部オゾン濃度が低い場合でも、内部オゾン濃度が十分に高いと誤判断されることを防ぐためである。
【００６７】
ステップ３５０では、外部オゾン濃度が、目標外部オゾン濃度に達したか否かを判定する。ここで肯定判断されるとステップ３４０に戻り、一方否定判断されるとステップ３６０に進む。
【００６８】
ステップ３６０では、前記Ｓ３５０の処理の開始から所定時間（Ｔ２時間）経過したか否かを判定する。ここで肯定判断されるとステップ４４０に進み、一方否定判断されるとステップ３７０に進む。
【００６９】
ステップ３７０では、外部オゾン濃度が低いので、ファン風量の調整を行う。詳しくは、今までのファン風量を増加させる処理を行う。
続くステップ３９０では、バッテリ電圧が、所定電圧（Ｂ２：例えば２４Ｖ）以上であるか否か、即ち十分なバッテリ電圧であるか否かを判定する。ここで肯定判断されるとステップ４３０に進み、一方否定判断されるとステップ４００に進む。
【００７０】
ステップ４００では、バッテリ電圧が低いので、バッテリ電圧とファン駆動用の出力電圧（第２出力電圧）の上限値との関係を示すマップを参照する。なお、このマップは、例えば制御部１７のメモリに記憶されている。
【００７１】
このマップ（マップ２）とは、Ｂ２未満のバッテリ電圧の範囲において、バッテリ電圧を複数の領域で区分するように、バッテリ電圧の判定値を複数設けたものである。そして、各判定値で区分される領域に応じて、ファン１５に供給する電力の上限値が設定されている。従って、このマップを用いることにより、バッテリ電圧に対応した電力の上限値を設定することができる。
【００７２】
続くステップ４１０では、第２出力電圧が前記マップから得られた上限値以下であるか否かを判定する。ここで肯定判断されるとステップ４３０に進む、一方否定判断されるとステップ４２０に進む。
【００７３】
ステップ４２０では、第２出力電圧を上限値に設定して、ステップ４３０に進む。
ステップ４３０では、ファン風量の調整開始から所定時間（Ｔ３時間）経過したか否かを判定する。ここで肯定判断されるとステップ３５０に戻り、一方否定判断されると、現状のファン風量を維持して、Ｔ３時間が経過するまで待機する。
【００７４】
一方、ステップ３６０で肯定判断されて進むステップ４４０では、目標外部オゾン濃度となるように、オゾン発生器１１に対する出力電力を調整する。即ち、オゾン発生量を調整する。
【００７５】
続くステップ４５０では、バッテリ電圧が、所定電圧（Ｂ３：例えば２４Ｖ）以上であるか否か、即ち十分なバッテリ電圧であるか否かを判定する。ここで肯定判断されるとステップ４９０に進み、一方否定判断されるとステップ４６０に進む。
【００７６】
ステップ４６０では、バッテリ電圧が低いので、バッテリ電圧とオゾン発生器１１に供給する第１出力電圧の上限値との関係を示すマップを参照する。
このマップ（マップ３）とは、前記マップ１と同様に、Ｂ３未満のバッテリ電圧の範囲において、バッテリ電圧を複数の領域で区分するように、バッテリ電圧の判定値を複数設けたものである。なお、このマップとしては、前記マップ１を採用することもできる。
【００７７】
続くステップ４７０では、第１出力電圧が前記マップから得られた上限値以下であるか否かを判定する。ここで肯定判断されるとステップ４９０に進む、一方否定判断されるとステップ４８０に進む。
【００７８】
ステップ４８０では、第１出力電圧を上限値に設定して、ステップ４９０に進む。
ステップ４９０では、外部オゾン濃度が、目標外部オゾン濃度に達したか否かを判定する。ここで肯定判断されるとステップ３４０に戻り、一方否定判断されるとステップ３６０に戻る。
【００７９】
ここで、前記各所定時間（Ｔ１、Ｔ２、Ｔ３）としては、例えば、それぞれ、１ｍｉｎ、１０ｍｉｎ、２ｍｉｎを採用できる。なお、前記各所定時間（Ｔ１、Ｔ２、Ｔ３）は、構造物３の内部の空間Ｋ２の広さ等の周囲状況に応じて適宜設定される。
【００８０】
なお、上述した処理は、オゾン発生スイッチや電源スイッチがオフされるまで継続される。
［１−５．効果］
次に、本第１実施形態の効果について説明する。
【００８１】
（１）本第１実施形態では、バッテリ電圧を検出し、バッテリ電圧が、所定の判定値以下に低下した場合には、オゾン制御部２７やファン制御部２５によって、オゾン発生器１１に供給する電力やファン１５に供給する電力を抑制することにより、バッテリ１９の電力の消耗を抑制することができる。また、バッテリ１９の電力の消耗を抑制できるので、長期間にわたり、殺菌等に必要な量のオゾンを供給することができる。
【００８２】
つまり、本第１実施形態によれば、バッテリ１９の消耗を抑制して、野菜や肉等の収容物を収容するコンテナ等の内部のオゾン濃度を、長期間にわたり、適切なオゾン濃度に保つことができる。つまり、コンテナ等の内部のオゾン濃度を、長期間にわたり、適切なオゾン濃度に保つことができるので、カビ菌等の殺菌力を長期間にわたり好適に保持することができる。そのため、野菜や肉等の収容物の腐敗等を好適に抑制することができる。
【００８３】
（２）本第１実施形態では、オゾン発生器１１の制御に関して、バッテリ電圧を判定するために、判定値を複数設けている。そして、バッテリ電圧が低い場合には、各判定値で区分されるバッテリ電圧の領域に応じて、オゾン発生器１１に供給する電力の上限値を設定する。これにより、オゾン発生量を確保しつつ、バッテリ１９の電力の消耗を好適に抑制できる。
【００８４】
（３）本第１実施形態では、ファン１５の制御に関して、バッテリ電圧を判定するために、判定値を複数設けている。そして、バッテリ電圧が低い場合には、各判定値で区分されるバッテリ電圧の領域に応じて、ファン１５に供給する電力の上限値を設定する。これにより、ファン風量を確保しつつ、バッテリ１９の電力の消耗を好適に抑制できる。
【００８５】
（４）本第１実施形態では、内部空間Ｋ３又は外部空間Ｋ４のオゾン濃度が目標オゾン濃度となるように、オゾン発生器１１に供給する電力のフィードバック制御を行っているので、内部空間Ｋ３又は外部空間Ｋ４のオゾン濃度を、容易に目標オゾン濃度とすることができる。また、このようなフィードバック制御を行うことより、バッテリ１９の消耗を抑制できる。
【００８６】
［１−６．文言の対応関係］
ここで、文言の対応関係について説明する。
第１実施形態の、構造物３、オゾン発生装置５、オゾン発生システム１、バッテリ１９、オゾン発生器１１、オゾン制御部２７、ファン１５、ファン制御部２５、バッテリ電圧検出部３１、電圧判定部３３、抑制制御部３５が、それぞれ、本開示の、構造物、オゾン発生装置、オゾン発生システム、バッテリ、オゾン発生器、オゾン制御部、ファン、ファン制御部、バッテリ電圧検出部、電圧判定部、抑制制御部の一例に該当する。
【００８７】
［２．第２実施形態］
次に、第２実施形態について説明するが、第１実施形態と同様な内容については、説明を省略又は簡略化する。なお、第１実施形態と同じ構成には、同じ番号を付す。
【００８８】
本第２実施形態は、第１実施形態とは制御処理が異なるので、異なる制御処理について説明する。
本第２実施形態の制御処理は、バッテリ電圧が低い場合にバッテリ１９の消耗を抑制するための制御処理である。
【００８９】
図５のフローチャートに示すように、ステップ５００にて、電源スイッチがオンされ、ステップ５１０にて、オゾン発生スイッチがオンされた場合には、下記のステップ５２０以降の処理に進む。なお、電源スイッチがオンされた場合には、そのことを示すＬＥＤを点灯し、オゾン発生スイッチがオンされた場合には、そのことを示すＬＥＤを点灯する。
【００９０】
なお、ステップ５２０以降の処理は、所定周期ごとに繰り返し実施される。
ステップ５２０では、バッテリ電圧が所定電圧（Ｂ１：例えば２３Ｖ）以上か否かを判定する。ここで肯定判断されるとステップ５３０に進み、一方否定判断されるとステップ５４０に進む。
【００９１】
ステップ５３０では、通常制御を実施し、一旦本処理を終了する。例えば、前記第１実施形態のように、内部オゾン濃度が目標内部オゾン濃度となるように、オゾン発生量を調節する。また、外部オゾン濃度が目標外部オゾン濃度となるように、ファン風量を調節するとともに、オゾン発生量を調節する。例えば、外部オゾン濃度が低い場合には、オゾン発生量を増加する制御を行う。
【００９２】
一方、ステップ５４０では、バッテリ１９が消耗し、バッテリ残量が少ないことを、例えばＬＥＤを点灯することなどによって報知する。
続くステップ５５０では、バッテリ１９を使用するモードを低消費電力モードに設定する。例えば、低消費電力モードを示すフラグをセットする。
【００９３】
続くステップ５６０では、オゾン発生量を最小値にセットする。
続くステップ５７０では、ファン風量を最小値にセットし、一旦本処理を終了する。
本第２実施形態では、基本的に第１実施形態と同様な効果を奏する。
【００９４】
特に、本第２実施形態では、オゾン発生器１１に供給する電力を所定の最小値に設定することにより、バッテリ１９の電力の消耗を好適に抑制できる。
また、ファン１５に供給する電力を所定の最小値に設定することにより、バッテリ１９の電力の消耗を好適に抑制できる。
【００９５】
［２．実験例］
次に、本開示の効果を確認するために行った実験例１、２について説明する。
＜実験例１＞
実験例１は、前記第１実施形態のオゾン発生システムにおいて、オゾンの発生とファンの駆動とを一旦停止した場合のオゾン濃度（外部オゾン濃度）を調べたものである。
【００９６】
図６（ａ）は、高圧電源（即ちオゾン発生器）及びファンに供給する電力の合計を３５Ｗ（１時間における平均）と一定にした場合のオゾン濃度の時間変化を示している。なお、オゾン発生器に供給する電力を２０Ｗ、ファンの供給する電力を１５Ｗと、それぞれ一定としている。
【００９７】
なお、図６（ａ）においては、電力を線で示し、オゾン濃度を点で示している（以下、図６（ｂ）、図７（ａ）、図７（ｂ）も同様）
図６（ｂ）は、オゾン発生システムの状態を、<１>、<２>、<３>、<４>の各期間のように切り替えたものである。なお、オゾン発生器の１時間における平均電力は１６Ｗである。
【００９８】
<１>では、オゾン発生器に２４Ｗの電力を供給した。ファンに最小値１Ｗの電力を供給した。この状態では、オゾン濃度は若干高い。
<２>では、オゾン発生器に２４Ｗの電力を供給した。ファンには最小値より多い１１Ｗの電力を供給した。これにより、オゾン濃度が上昇した。
【００９９】
<３>では、オゾンの発生を停止し、ファンも停止した。これによって、オゾン濃度は徐々に低下した。
<４>は、オゾン濃度が０．１ｐｐｍ以下になったことを示している。この状態になったら、前記<１>に戻って、同様な制御を繰り返す。
【０１００】
次に、前記図６（ａ）に示すような場合（制御なし）と、前記図６（ｂ）に示すように制御した場合（制御あり）とに分けて、１２Ｖ、５０Ａｈの放電能力のバッテリを、下記の条件で使用する場合について説明する。
【０１０１】
・電圧        ：２４Ｖ（２個のバッテリを直列接続）
・バッテリ個数：１６個（２個直列の２４Ｖのバッテリを８組並列接続）
・電流能力    ：５０Ａｈ×８並列＝４００Ａｈ
［制御なしの場合］
前記図６（ａ）のような「制御なし」の場合には、図６（ｃ）の破線で示すように、バッテリは短時間で消耗する。詳しくは、「制御なし」の場合には、下記の演算から、約１１日で電池残量が０Ａｈとなることが分かる。
【０１０２】
３５Ｗ／２４Ｖ＝１．４６Ａｈ
４００Ａｈ／１．４６Ａｈ＝約２７４ｈ＝約１１ｄａｙｓ（日）
［制御ありの場合］
前記図６（ｂ）のような「制御あり」の場合には、図６（ｃ）の実線で示すように、バッテリの寿命は長くなる。詳しくは、「制御あり」の場合には、下記の演算から、約２５日で電池残量が０Ａｈとなることが分かる。
【０１０３】
１６Ｗ／２４Ｖ＝０．６６Ａｈ
４００Ａｈ／０．６６Ａｈ＝約６００ｈ＝約２５ｄａｙｓ（日）
＜実験例２＞
実験例２は、前記第１実施形態のオゾン発生システムにおいて、目標とするオゾン濃度（外部オゾン濃度）となるように、オゾンの発生とファンの駆動とを制御した場合を調べたものである。
【０１０４】
図７（ａ）は、高圧電源（即ちオゾン発生器）及びファンに供給する電力の合計を３５Ｗ（平均電力）と一定にした場合のオゾン濃度の時間変化を示している。なお、オゾン発生器に供給する電力を２４Ｗ、ファンの供給する電力を１１Ｗと、それぞれ一定としている。
【０１０５】
図７（ｂ）は、オゾン濃度をモニタしながら、目的とするオゾン濃度となるように、オゾン発生システムの状態を、<１>、<２>、<３>のように切り替えたものである。なお、オゾン発生器の平均電力は１６Ｗである。
【０１０６】
<１>では、オゾン濃度を０．３ｐｐｍとするように、数日間駆動した。
<２>では、オゾン濃度を０．１５ｐｐｍとするように、１５Ｗで数日間駆動した。
<３>では、オゾン濃度を安全基準の０．１ｐｐｍにするように１０Ｗで駆動した。
【０１０７】
なお、ファンの駆動は、前記第１実施形態のように、条件に応じて自動的に変更した。
次に、前記図７（ａ）に示すような場合（制御なし）と、前記図７（ｂ）に示すように制御した場合（制御あり）とに分けて、１２Ｖ、５０Ａｈの放電能力のバッテリを、下記の条件で使用する場合について説明する。
【０１０８】
・電圧        ：２４Ｖ（２個のバッテリを直列接続）
・バッテリ個数：１６個（２個直列の２４Ｖのバッテリを８組並列接続）
・電流能力    ：５０Ａｈ×８並列＝４００Ａｈ
［制御なしの場合］
前記図７（ａ）のような「制御なし」の場合には、図７（ｃ）の破線で示すように、バッテリは短時間で消耗する。詳しくは、「制御なし」の場合には、下記の演算から、約１１日で電池残量が０Ａｈとなることが分かる。
【０１０９】
３５Ｗ／２４Ｖ＝１．４６Ａｈ
４００Ａｈ／１．４６Ａｈ＝約２７４ｈ＝約１１ｄａｙｓ（日）
［制御ありの場合］
前記図７（ｂ）のような「制御あり」の場合には、図７（ｃ）の実線で示すように、バッテリの寿命は長くなる。詳しくは、「制御あり」の場合には、下記の演算から、約２５日で電池残量が０Ａｈとなることが分かる。
【０１１０】
１６Ｗ／２４Ｖ＝０．６６Ａｈ
４００Ａｈ／０．６６Ａｈ＝約６００ｈ＝約２５ｄａｙｓ（日）
［３．他の実施形態］
本開示は前記実施形態になんら限定されるものではなく、本開示を逸脱しない範囲において種々の態様で実施しうることはいうまでもない。
【０１１１】
（１）例えば、オゾン発生器については、前記実施形態以外に、周知の各種の構成を採用できる。
（２）前記構造物としては、例えば、開口部（例えば出入口）が扉等で閉塞される又は密閉されるコンテナや倉庫等が挙げられる。また、上述した実施形態のオゾン発生システムは、例えば、コンテナや倉庫等の開口部が扉等で閉じられた場合に駆動される。そして、上述した実施形態の制御は、例えば、コンテナや倉庫等の開口部が扉等で閉じられた場合に実施される。
【０１１２】
（３）なお、上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【０１１３】
１…オゾン発生システム
３…構造物
５…オゾン発生装置
１１…オゾン発生器
１５…ファン
１９…バッテリ
２５…ファン制御部
２７…オゾン制御部
３１…バッテリ電圧検出部
３３…電圧判定部
３５…抑制制御部
【図１】
2019099387.tif 000003
【図２】
2019099387.tif 000004
【図３】
2019099387.tif 000005
【図４】
2019099387.tif 000006
【図５】
2019099387.tif 000007
【図６】
2019099387.tif 000008
【図７】
2019099387.tif 000009